(57)【要約】【課題】アンテナの特性が安定した平面線状アンテナ装置を提供する。さらに上記のアンテナ特性の安定化したアンテナを利用し、周囲の環境・場所に影響されない安定化した通信モジュールを提供する。【解決手段】平面シート（１）上に形成された導体パターン（２）と、その一端部のグランド端子（５）を介して接続され、前記平面シートと所定間隔を設けて略平行に配置されたグランド板（４）と、導体パターン（２）に対する給電端子（７）を設けたアンテナ装置（１０）。【選択図】　　　　図１
2004080108.tif 000002
【特許請求の範囲】
【請求項１】
平面シート上に形成された導体パターンと、その一端部のグランド端子を介して接続され、前記平面シートと所定間隔を設け略平行に配置されたグランド板とからなり、前記導体パターンの途中から引き出した給電端子を設けたことを特徴とするアンテナ装置。
【請求項２】
空中、あるいは、非金属、金属の上に密着して使用される通信モジュール用の請求項１記載のアンテナ装置。
【請求項３】
導体パターンが絶縁被覆導線で形成されてなることを特徴とする請求項１記載のアンテナ装置。
【請求項４】
少なくとも１箇所で導体パターンを形成する被覆導線同士が交差して配置されることを特徴とする請求項３記載のアンテナ装置。
【請求項５】
空中、あるいは、非金属、金属の上に密着して使用される通信モジュール用の請求項３又は４記載のアンテナ装置。
【請求項６】
請求項１〜５のいずれか１項に記載のアンテナ装置を用いた，空中、あるいは、非金属、金属の上に密着して使用される通信モジュール。
【発明の詳細な説明】
【０００１】
【発明の属する技術分野】
本発明は、物品の表面に取り付け、外部処理装置の電磁波により非接触にて管理データ出力する非接触タグ等用のアンテナ装置及びこれを用いた非接触タグ等の通信モジュールに関する。特に、取り付けられる物品の材質に拘らず特性が一定し、また、アンテナ設計の自由度が高いアンテナ装置と、それを使用した通信モジュールに関する。
【０００２】
【従来の技術】
従来のモノポール、あるいはループ型等のグランド板を持たない平面アンテナは外部の影響を受けやすくアンテナの特性は安定しなかった。特に、金属板上では著しく利得が低下した。そのため、物品の表面に取り付け、外部処理装置の電磁波により管理データを出力する非接触タグ等に用いる場合は、取り付けられる物品の材質が金属か、木、樹脂等の非金属か、あるいは空中に設置されるかに拘らず等しく動作することはできなかった。
また、アンテナのインピーダンス特性を最適にする構造に設計するため、線状の放射導体を平面シート上に形成する場合、線状放射導体を前記平面シート上に自由にひきまわせることが、前記の最適設計をするうえで望ましい。
しかし、従来の、エッチング、あるいはプリントによって作られる平面線状アンテナはアンテナエレメントの導線同士を交差させると交差箇所で導通してしまうため、導線を交差させるために基板上にスルーホールを設けたり（特開２０００−２９５０２４）、導線同士の接触を防ぐため絶縁シートを被せたりする等の工夫が必要でありアンテナ設計の自由度が低かった。
【０００３】
【発明が解決しようとする課題】
そこで、本発明は、取り付けられる物品の材質に拘らず等しく動作する非接触タグ等用のアンテナ装置およびそれを用いた非接触タグ等の通信モジュールを提供することを目的とする。
さらに本発明は上記のアンテナの線状放射導体を平面シート上に形成するに際し、自由に引き回すことができるアンテナ設計の自由度の高いアンテナ装置およびそれを用いた通信モジュールを提供することを目的とする。
【０００４】
【課題を解決するための手段】
上記の目的を達成するため請求項１に係るアンテナ装置は平面シート上に形成された導体パターンと、その一端部のグランド端子を介して接続され、前記平面シートと所定間隔を設け略平行に配置されたグランド板とからなり、前記導体パターンの途中から引き出した給電端子を設けたことを特徴とする。
【０００５】
請求項２に係るアンテナ装置は請求項１に記載の特徴に加え、空中、あるいは、非金属、金属の上に密着して使用される通信モジュール用であることを特徴とする。
【０００６】
請求項３に係るアンテナ装置は、請求項１に記載の特徴に加え、導体パターンが絶縁被覆導線で形成されてなることを特徴とする。
【０００７】
請求項４に係るアンテナ装置は、請求項３に記載の特徴に加え、少なくとも１箇所で導体パターンを形成する被覆導線同士が交差して配置されることを特徴とする。
【０００８】
請求項５に係るアンテナ装置は、請求項３又は４に記載の特徴に加え、空中、あるいは、非金属、金属の上に密着して使用される通信モジュール用であることを特徴とする。
【０００９】
請求項６に係る通信モジュールは、請求項１〜５項のいずれか１項に係るアンテナ装置を用い、空中、あるいは、非金属、金属の上に密着して使用されることを特徴とする。
【００１０】
なお、本発明においてアンテナ装置とは、物品の表面に取り付け、外部処理装置の電磁波により非接触にて管理データ出力する非接触タグ等用のアンテナ装置、携帯電話用アンテナ、自動車電話用アンテナ、無線ＬＡＮ用アンテナ、携帯端末ＧＰＳ用アンテナなどをいう。
【００１１】
また、本発明において通信モジュールとは非接触タグ、携帯電話、自動車電話、無線ＬＡＮ用通信モジュール、携帯端末ＧＰＳなどをいう。
【００１２】
請求項１に係る構成によれば、グランド板と導体パターンの間に電界が集中するため、その外部からの影響を受けにくくすることができるとともに、平面シート上に形成された導体パターンとグランド板を略平行に配置したためアンテナ装置を薄いカード状に形成することができる。
【００１３】
請求項２に係る構成によれば、金属製であるグランド板の存在を前提にインピーダンスが整合するよう導体パターンの途中に給電点を配置するため、アンテナ装置が取り付けられる物品の材質に拘らず一定の特性を奏することができる。即ち、アンテナ装置が取り付けられる物品が金属製である場合、木、樹脂等の非金属製である場合、あるいはアンテナ装置が空中に設置される場合であっても等しく動作することができる。
【００１４】
請求項３に係る構成によれば、導体パターンが絶縁被覆導線で形成されるので従来のエッチングやプリント方式のようにそれぞれの導体パターンの形状ごとに型をおこす必要がないので製作期間の短縮をよび製作コストの低減を図ることができる。
【００１５】
請求項４に係る構成によれば、導体パターンが絶縁被覆導線で形成されるので、導線同士が交差するような導体パターンを設計した場合であってもスルーホールを介した接続や絶縁シートの挿入など特段の工夫を要せずに交差箇所で導通することはなく、導体パターンの形状を自由に設計することができる。
【００１６】
請求項５に係る構成によれば、アンテナ装置の設置環境に拘らず等しく動作が可能で、設計の自由度が高いアンテナ装置を提供することができる。
【００１７】
請求項６に係る構成によれば、設置環境に拘らず等しく動作が可能で、設計の自由度が高い通信モジュールを提供することができる。
【００１８】
【発明の実施の形態】
次に本発明の好ましい実施の形態を図面に従って説明する。
図１は本発明の好ましい、アンテナ装置の実施態様の斜視図である。
図中１は平面シート、２はその表面上の導体パターンであり、好ましくは絶縁被覆導線３より形成される。４は平面シート１と所定間隔を設けて略平行に設置したグランド板である。前記導体パターン２を形成する絶縁被覆導線の一端は引き出されて、グランド端子５としてグランド板４に接続される。
【００１９】
７は、導体パターン２に給電する給電端子である。給電端子７は、絶縁被覆導線の途中の部分を平面シート１の外縁に引き出して引き出し部８とし、その部分の絶縁被覆を除去して形成した給電端子７を形成したものである。
【００２０】
導体パターン２上の、給電端子を設けるための引き出し部８の位置（給電点の位置）はアンテナの入力インピーダンスを最適にする位置に決定される。導線は被覆絶縁されているため、シート上で線を交差させても交差箇所で導通することはなくアンテナの特性を損なわない。
【００２１】
本発明に好ましく用いる絶縁被覆導線は例えば、直径０．１９ｍｍの銅線に１０μｍのポリウレタンを被覆したものである。
【００２２】
次に本発明の通信モジュールの好ましい一実施態様を図２に従って説明する。図２は図１に示したアンテナ装置を適用した通信モジュール２０の説明図である。図２において図１と同符号は図１と同じものを示す。図２中、２１は、図１アンテナ装置１０をカバーする筐体、２２はその筐体中の平面シート１とグランド板４との間に設けた信号処理回路である。この信号処理回路２２を設けたアンテナ装置１０が通信モジュールを構成し金属の箱、木の机等の物品２３上にとりつけられる。
【００２３】
【発明の効果】
本発明によれば、取り付けられる物品が金属製か非金属製かに拘らず、あるいは空中に設置される場合であっても一定の特性を示すアンテナ装置を提供することができる。また、設計の自由度が高いアンテナ装置を提供することができる。さらに、取付られる物品の材質に拘らず安定して動作する通信モジュールを提供することができる。
【図面の簡単な説明】
【図１】本発明のアンテナ装置の好ましい一実施態様の斜視図である。
【図２】図１のアンテナ装置を用いた通信モジュールの好ましい一実施態様の説明図（斜視図）である。
【符号の説明】
１　　平面シート
２　　導体パターン
３　　絶縁被覆導線
４　　グランド板
５　　グランド端子
６　　グランド端子の端部
７　　給電端子
８　　引き出し部
１０　アンテナ装置
２０　通信モジュール
２１　アンテナ装置の筐体
２２　信号処理回路
２３　基体
【図１】
2004080108.tif 000003
【図２】
2004080108.tif 000004